【事件の表示】
　特願２０００−１８６７７５「遊技機」拒絶査定不服審判事件〔平成１４年　１月　８日出願公開、特開２００２−　　　８９２〕について、次のとおり審決する。
【結　論】
　本件審判の請求は、成り立たない。
【理　由】
第１．手続の経緯　
　本願は、平成１２年６月２１日の出願であって、平成１５年７月９日付の拒絶理由通知に対して同年９月１６日付で手続補正がなされ、平成１６年３月１５日付の拒絶理由通知に対して同年５月１８日付で手続補正がなされ、これに対し、同年６月４日付で拒絶査定がなされ、これに対し、同年７月８日に拒絶査定不服の審判請求がなされるとともに同年８月４日付で手続補正がなされたものである。
　
　
第２．平成１６年８月４日付の手続補正についての補正却下の決定　
〔補正却下の決定の結論〕　
　平成１６年８月４日付の手続補正（以下、「本件補正」という。）を却下する。　
　
［理由］　
【１】本件補正の内容と補正の適否　
　本件補正により、特許請求の範囲の請求項１は、平成１６年５月１８日付手続補正により補正された特許請求の範囲の請求項１に記載された
　「【請求項１】　１つの基板に複数個のコネクタを載置した基板を複数個含んだ遊技機において、前記複数個の基板同士もしくは特定の基板と他の端子とを前記コネクタを介して電気的に接続するコード束として、該コード束に含まれる１本のコードを特定色の可撓性絶縁部材で被服すると共に、該コード束に含まれる他の複数のコードの可撓性絶縁部材については全て前記特定色以外の色で統一したコード束を備え、前記特定色の可撓性絶縁部材で被覆したコードを、当該コード束用コネクタの特定接続ピンに結合することを特徴とする遊技機。」から、　
　「【請求項１】　１つの基板に複数個のコネクタを載置した基板を複数個含んだ遊技機において、前記複数個の基板同士もしくは特定の基板と他の端子とを前記各コネクタを介して電気的に接続する複数個のコード束として、該コード束に含まれる１本のコードを特定色の可撓性絶縁部材で被覆すると共に、該コード束に含まれる他の複数本のコードの可撓性絶縁部材については全て前記特定色以外の色で統一したコード束を備え、前記特定色の可撓性絶縁部材で被覆したコードを、当該コード束用コネクタの特定接続ピンに結合し、かつ、前記複数個のコネクタのうち遊技球が入賞することに基づいて当該遊技機のゲーム内容が決定される始動入賞口スイッチと結線するためのコードを有するコネクタは、前記コード束の可撓性絶縁部材に使用されている色とは異なる蛍光色の可撓性絶縁部材で被覆したコードを用いたことを特徴とする遊技機。」
へと補正された。　
　　
　本件補正により特許請求の範囲の請求項１にした補正は、
　i.　 遊技機が備える複数個の基板同士もしくは特定の基板と他の端子とを電気的に接続するコード束が「複数個」あり、また、当該コード束が、１つの基板に設けられた複数個のコネクタの、「各」コネクタを介して接続されたものであることを特定し、
　ii.　「被服」を、「被覆」と訂正し、
　iii.　「複数のコード」を、「複数本のコード」とし、
　iv.　遊技機が、「（前記）複数個のコネクタのうち遊技球が入賞することに基づいて当該遊技機のゲーム内容が決定される始動入賞口スイッチと結線するためのコードを有するコネクタは、（前記）コード束の可撓性絶縁部材に使用されている色とは異なる蛍光色の可撓性絶縁部材で被覆したコードを用いた」ものであるとしたものである。
　上記、i.　iii.　については、発明特定事項の直列的付加に当たるので、平成１８年改正前特許法第１７条の２第４項第２号に規定する「特許請求の範囲の減縮（第三十六条第五項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）」を目的としたものに該当し、上記ii.　については、平成１８年改正前特許法第１７条の２第４項第３号に規定する「誤記の訂正」を目的としたものに該当する。　
　しかし、上記iv.　については、「（始動入賞口と結線するための）コード」が、「（特定色の１本のコードと特定色以外の色の複数のコードとからなる）コード束」に含まれるものではないため、この補正が、本件補正前の特許請求の範囲の請求項１に記載された発明の発明特定事項を限定するものではない。　
　このため、上記iv.　を含む本件補正は、平成１８年改正前特許法第１７条の２第４項の規定に違反する。　
　
　本件補正は、上記のように、請求項の限定的減縮を目的とする補正事項を含んでいるから、以下、本件補正後の請求項１に記載された発明（以下、「本願補正発明」という。）が特許出願の際に独立して特許を受けることができるものであるか（平成１８年改正前特許法第１７条の２第５項において準用する同法第１２６条第５項の規定に適合するか）否かを検討する。　
　
　
【２】独立特許要件の適否
［１］引用例に記載の発明・技術　
　第１引用例　：　特開平１１−２６７３２２号公報　
　第２引用例　：　実願平５−６８０３５号（実開平７−３２８１７号）の　　　　　　　　　ＣＤ−ＲＯＭ　
　
（１）第１引用例に記載の発明　　
　原査定の拒絶の理由に引用された、本願の出願の日前である平成１１年１０月５日に頒布された刊行物である第１引用例（特開平１１−２６７３２２号公報）には、以下の事項が記載されている。
　i.「【００１０】【課題を解決するための手段】本発明は上記目的を達成するために提案されたもので、・・・遊技領域内に特定入賞口（例えば、始動口１４）をを形成した遊技盤と、特定入賞口に入賞した遊技球を検出可能な特定入賞検出装置（例えば、始動スイッチ３３）とと、特定入賞検出装置からの検出信号に基づいて所要の遊技制御を行う遊技制御基板とを備えた遊技機において、特定入賞検出装置と遊技制御基板とを電気的に接続する特定入賞用配線具（例えば、始動信号用接続ケーブル３４）を、専用色に着色すると共に、遊技制御基板に接続された他の配線具（例えば、中継基盤接続ケーブル３９・・・排出電源用接続ケーブル４２）から独立した単独状態で接続することを特徴とする。」（第３頁第４欄１〜１４行）　　
　ii.「【００２２】上記した可変表示装置１３は、図柄合わせゲーム等の補助遊技を行なうものである。・・・なお、補助遊技は、遊技球の始動口１４への入賞が遊技の開始条件に設定してある。」（第４頁第６欄２〜１０行）
　iii.「【００２６】これらの中継基盤３１及び表示制御回路３２よりも少し下側には、始動スイッチ３３を配設する。この始動スイッチ３３は、始動口１４に入賞した遊技球を検出可能なスイッチであり、例えば、近接センサにより構成する。・・・そして、この始動スイッチ３３からの検出信号は、本願発明における特定入賞用配線具として機能する始動信号用接続ケーブル３４を介して、遊技制御装置２６、より詳しくは、遊技制御装置２６の一部を構成する遊技制御基板３５に直接接続する。・・・。　　
　【００２７】この始動信号用接続ケーブル３４は、信号線３４ａと配線具側コネクタ端子３４ｂとを備える。そして、信号線３４ａの一端には始動スイッチ３３を、他端には配線具側コネクタ端子３４ｂをそれぞれ接合してあり、配線具側コネクタ端子３４ｂは後述する第１遊技基板側コネクタ端子４４ａと嵌合する。本実施形態においては、始動信号用接続ケーブル３４の全体、即ち、信号線３４ａと配線具側コネクタ端子３４ｂの両方を、専用色である蛍光色により着色してある。これは、専用色で着色することにより始動信号用接続ケーブル３４を目立たせ、パチンコ遊技機１の点検や修理を行う際において、遊技店の店員等に、始動信号用接続ケーブル３４を容易に特定させるためである。なお、蛍光色に着色したことにより、比較的暗い場所であっても始動信号用接続ケーブル３４が比較的目立つので、特定が容易である。」（第５頁第７欄１４〜４９行）　
　【００２８】・・・。　　
　【００２９】また、この遊技制御基板３５には、接続ケーブルを介して、中継基盤３１、表示制御回路３２、音制御回路２７、排出電源制御装置２９を電気的に接続する。そして、これらの装置類と遊技制御基板３５とを電気的に接続する接続ケーブルは、各装置類毎に設けてある。具体的には、遊技制御装置２６と中継基盤３１との間を中継基盤接続ケーブル３９で接続し、表示制御回路３２との間を表示制御用接続ケーブル４０で接続し、音制御回路２７との間を音制御用接続ケーブル４１で接続し、排出電源制御装置２９との間を排出電源用接続ケーブル４２で接続してある。なお、これらの各接続ケーブル及び始動信号用接続ケーブル３４は、本願発明における配線具である。　　
　【００３０】次に、遊技制御装置２６について説明する。遊技制御装置２６は、図４に示すように、いわゆるワンチップマイコン等の電子部品や遊技基板側コネクタ端子４４を実装した遊技制御基板３５と、・・・とから概略構成してある。・・・そして、上蓋部材４５ｂにおける右端部分には凹部を形成してあり、この凹部により、遊技制御基板３５に設けたコネクタ接続領域３５ａが遊技基板ボックス４５から露出する。　
　【００３１】このコネクタ接続領域３５ａは、上下に長い帯状の領域であり、上記した接続ケーブルと嵌合可能な複数の遊技基板側コネクタ端子４４を設けてある。そして、この遊技基板側コネクタ端子４４は、各接続ケーブル毎に設けてある。即ち、始動信号用接続ケーブル３４の配線具側コネクタ端子３４ｂが嵌合可能な第１遊技基板側コネクタ端子４４ａと、中継基盤接続ケーブル３９のコネクタ端子が嵌合可能な第２遊技基板側コネクタ端子４４ｂと、表示制御用接続ケーブル４０のコネクタ端子が嵌合可能な第３遊技基板側コネクタ端子４４ｃと、音制御用接続ケーブル４１のコネクタ端子が嵌合可能な第４遊技基板側コネクタ端子４４ｄと、排出電源用接続ケーブル４２のコネクタ端子が嵌合可能な第５遊技基板側コネクタ端子４４ｅとを、上側から順に上下一列に配設してある。」（第５頁第７欄１４〜第８欄４７行）　
　iv.「【００４４】・・・また、始動信号用接続ケーブル３４の信号線３４ａに、周囲を覆うように透明なビニールチューブを被せてもよい。このビニールチューブは、例えば、熱収縮チューブにより構成する。」（第７頁第１２欄１６〜３６行）　
　v.　これらの記載（上記i.　〜iv.　）及び図面によれば、第１引用例には、以下の発明（以下、「引用発明」という。）が記載されている。
　「中継基盤３１、表示制御回路３２、音制御回路２７、排出電源制御装置２９、始動口１４の始動スイッチ３３、及び遊技制御基板３５を備え、中継基盤接続ケーブル３９のコネクタ端子が嵌合可能な第２遊技基板側コネクタ端子４４ｂと、表示制御用接続ケーブル４０のコネクタ端子が嵌合可能な第３遊技基板側コネクタ端子４４ｃと、音制御用接続ケーブル４１のコネクタ端子が嵌合可能な第４遊技基板側コネクタ端子４４ｄと、排出電源用接続ケーブル４２のコネクタ端子が嵌合可能な第５遊技基板側コネクタ端子４４ｅと、始動信号用接続ケーブル３４の配線具側コネクタ端子３４ｂが嵌合可能な第１遊技基板側コネクタ端子４４ａと、からなる複数の遊技基板側コネクタ端子４４を、前記遊技制御基板３５のコネクタ接続領域３５ａに設けた遊技機において、前記中継基盤３１、前記表示制御回路３２、前記音制御回路２７、前記排出電源制御装置２９、及び前記始動口１４の始動スイッチ３３と、前記遊技制御基板３５とを、前記の各コネクタ端子を介して電気的に接続し、遊技球の入賞が遊技の開始条件となる前記始動口１４の始動スイッチ３３と接合するための前記始動信号用接続ケーブル３４の配線具側コネクタ端子３４ｂは、始動信号用接続ケーブル３４を容易に特定させるために、専用色である蛍光色により着色したビニールチューブで周囲を覆うように被せた信号線３４ａを用いた遊技機。」
　
（２）第２引用例に記載の技術　
　原査定の拒絶の理由に引用された、本願の出願の日前である平成７年６月１６日に頒布された刊行物である第２引用例（実願平５−６８０３５号（実開平７−３２８１７号）のＣＤ−ＲＯＭ）には、以下の事項が記載されている。
　i.「【０００２】【従来の技術】 従来のフラットケーブル１′には、主として図４（イ）、（ロ）、（ハ）に示すように中心に導体４′を有する絶縁体５′同士がすべて融着部Ａからなるブリッジタイプ、長手方向に融着部Ａと非融着部Ｂの繰り返しからなるスダレタイプ、長手方向に融着部Ａと対撚り部（ツイストペア部）からなる非融着部Ｂの繰り返しからなるツイストペヤタイプ等がある。  図から明らかなように、従来のフラットケーブル１′には、鼠色等の標準色線９′以外にコネクタ等の端末作業をする際に１番線が識別できるように赤色等の基準着色線１０′が設けられている。」（第４頁６〜１５行）　
　ii.　【図４】（イ）（ロ）（ハ）には、フラットケーブル１′に、１本の基準着色線１０′と、他の複数本の標準色線９′が設けられていることが記載されている。　
　iii.　これらの記載（上記i.　ii.　）によれば、第２引用例には、以下の技術（以下、「第２引用例に記載の技術」という。）が記載されている。
　「フラットケーブル１′の１本の線を、中心に導体４′を有する絶縁体５′よりなり、コネクタ等の端末作業をする際に１番線が識別できるように赤色等で着色し、前記フラットケーブル１′の他の複数本の線を鼠色等で着色したフラットケーブル１′。」　
　
［２］本願補正発明について
（１）本願補正発明と引用発明との対比　
　i.　本願補正発明と引用発明とを対比すると、引用発明の「中継基盤接続ケーブル３９のコネクタ端子」、「第２遊技基板側コネクタ端子４４ｂ」、「表示制御用接続ケーブル４０のコネクタ端子」、「第３遊技基板側コネクタ端子４４ｃ」、「音制御用接続ケーブル４１のコネクタ端子」、「第４遊技基板側コネクタ端子４４ｄ」、「排出電源用接続ケーブル４２のコネクタ端子」、「第５遊技基板側コネクタ端子４４ｅ」、「始動信号用接続ケーブル３４の配線具側コネクタ端子３４ｂ」、「第１遊技基板側コネクタ端子４４ａ」及び「コネクタ端子４４」は、それぞれ、いずれもが、本願補正発明の「コネクタ」に相当する。
　ii.　引用発明の「中継基盤３１」、「表示制御回路３２」、「音制御回路２７」及び「排出電源制御装置２９」は、いずれも、「各コネクタ端子（各コネクタ）を介して遊技制御基板３５と電気的に接続した」ものであるが、これらが、遊技制御基板３５との間を接続ケーブルで電気的に接続するためには、それぞれが通常備える「基板」又は「端子」に、遊技制御基板３５が備えるのと同様に、各接続ケーブル用のコネクタを備えていると解するのが自然且つ一般的であり、これを前提とすると、引用発明は、本願補正発明と、「１つの基板にコネクタを載置した基板を複数個含」み、「複数個の基板同士もしくは特定の基板と他の端子とを各コネクタを介して電気的に接続する」構成を有する点で共通する。
　iii.　引用発明の、「中継基盤接続ケーブル３９」、「表示制御用接続ケーブル４０」、「音制御用接続ケーブル４１」及び「排出電源用接続ケーブル４２」は、いずれもが、遊技制御基板３５と、中継基盤３１、表示制御回路３２，音制御回路２７又は排出電源制御装置２９との間を電気的に接続する「接続手段」として、本願補正発明における「コード束」と共通し、また、引用発明は前記「接続手段」を「複数個」備えたものであるといえる。　
　iv.　引用発明の 「始動口１４の始動スイッチ３３」、「始動口１４の始動スイッチ３３と接合するための（前記）始動信号用接続ケーブル３４の配線具側コネクタ端子３４ｂ」は、それぞれ、本願補正発明の「始動入賞口スイッチ」、「始動入賞口スイッチと結線するためのコードを有するコネクタ」に相当する。また、引用発明の「遊技球の入賞が遊技の開始条件となる（前記）始動口１４の始動スイッチ３３」については、可変表示装置（特別図柄表示装置）の図柄合わせ遊技をする遊技機において、始動口への遊技球の入賞に伴う遊技の開始時にゲーム内容が決定されることは当業者にとってきわめて一般的な事項であるから、本願補正発明の「遊技球が入賞することに基づいて遊技機のゲーム内容が決定される始動入賞口スイッチ」と共通する。　
　v.　 引用発明の「蛍光色により着色したビニールチューブで周囲を覆うように被せた信号線３４ａ」は、本願補正発明の「蛍光色の可撓性絶縁部材で被覆したコード」に相当する。また、引用発明における「蛍光色」が、「始動信号用接続ケーブル３４を容易に特定させるため」の「専用色」とされており、すなわち、他の接続ケーブル（接続手段）に使用されている色とは異なる専用の色の蛍光色であるといえるから、本願補正発明における、コード束（接続手段）に使用されている色とは異なる蛍光色の可撓性絶縁部材の蛍光色とは、「接続手段に使用されている色とは異なる蛍光色」である点で共通する。　
　vi.　 そうすると、本願補正発明と引用発明とは、
「１つの基板にコネクタを載置した基板を複数個含んだ遊技機において、前記複数個の基板同士もしくは特定の基板と他の端子とを前記各コネクタを介して電気的に接続する複数個の接続手段を備え、遊技球が入賞することに基づいて当該遊技機のゲーム内容が決定される始動入賞口スイッチと結線するためのコードを有するコネクタは、前記接続手段に使用されている色とは異なる蛍光色の可撓性絶縁部材で被覆したコードを用いた遊技機。」の点で一致し、以下の点で相違する。　
　
　相違点Ａ．本願補正発明は、複数個の基板（それぞれ）に、コネクタが「複数個」あるのに対し、引用発明は、遊技制御基板３５が複数個のコネクタを備えている以外は明らかでない点。　
　相違点Ｂ．複数個の基板同士もしくは特定の基板と他の端子とを各コネクタを介して電気的に接続するために備えられる接続手段について、本願補正発明の接続手段が、「コード束」からなり、「該コード束に含まれる１本のコードを特定色の可撓性絶縁部材で被覆すると共に、該コード束に含まれる他の複数本のコードの可撓性絶縁部材については全て前記特定色以外の色で統一した」ものであって、且つ、「前記特定色の可撓性絶縁部材で被覆したコード」が「コード束用コネクタの特定接続ピンに結合し」たものであるのに対し、引用発明の接続手段が前記構成を備えたものではない点。　
　
（２）相違点Ａの検討　
　引用発明における遊技制御基板３５は複数個のコネクタを備えたものであるが、その他の基板に設けるコネクタの個数については、遊技機の制御機構を設計するに当たって、各基板の機能構成（１つの基板に複数の機能を併せ持たせるか否か等）や各基板間の機能関係あるいは伝送する信号の種類をいかなるものにするかに応じて必要とされるコードの本数を考慮のうえ、当業者によって適宜決定され得る事項に過ぎず、また、上記第１引用例の【図２】や【図５】において、発射制御回路２８、中継基盤３１或いは表示制御回路３２等に、各ケーブルから連なるそれぞれ複数個のコネクタが設けられていることも把握できるから、引用発明における遊技制御基板３５以外の基板にもコネクタを「複数個」設け、相違点Ａに係る本願補正発明のように構成することは、当業者が容易に想到できるものである。　　
　
（３）相違点Ｂの検討　
　i.　第２引用例に記載の技術は、上記【２】［１］（２）iii.　に示した如くのものである。　
　ii.　本願補正発明と上記第２引用例に記載の技術とを対比すると、第２引用例に記載の技術の「フラットケーブル１′」は、本願補正発明の「コード束」に相当し、以下同様に、「線」は「コード」に、「フラットケーブル１′の１本の線」は「コード束に含まれる１本のコード」に、「絶縁体５′」は、「絶縁部材」に、「フラットケーブル１′の他の複数本の線」は「コード束に含まれる他の複数本のコード」に、それぞれ相当する。　
　iii.　そして、第２引用例に記載の技術の「線（コード）」は、「中心に導体４′を有する絶縁体５′（絶縁部材）」よりなるものであるから、第２引用例に記載の技術と本願補正発明とは、コードが、「絶縁部材」で「被覆」されている点で共通する。また、第２引用例に明記されてはいないものの、コード被覆用の「絶縁部材」が「可撓性」を有することは、技術常識に照らして明らかである。　
　iv.　さらに、第２引用例に記載の技術において、赤色等で着色した１本の線（１本のコード）は、「コネクタ等の端末作業をする際に１番線が識別できる」ようにしたものであるのだから、当該１本の線に着色した色と他の複数本の線に着色した色とを異ならしめていることは自明であり、第２引用例に記載の技術と本願補正発明とは、コードの色に関して、「１本のコードを特定色とすると共に、他の複数本のコードについては全て前記特定色以外の色で統一した」構成を有する点で共通する。　
　v.　そうすると、第２引用例には、「コード束に含まれる１本のコードを特定色の可撓性絶縁部材で被覆すると共に、該コード束に含まれる他の複数本のコードの可撓性絶縁部材については全て前記特定色以外の色で統一したコード束」が開示されているといえる。　
　vi.　第２引用例に記載の技術は、特に遊技機の基板同士又は基板と端子との接続用に用途を限定したものではないが、本願補正発明とは、コネクタ等の端末作業性の向上を図ったものである点で共通しており、また、遊技機の基板同士又は基板と端子との接続用のコード束に、一般的な接続用のコード束と異なる特有の構造が必要とされるものでもないから、引用発明における、複数個の基板同士もしくは特定の基板と他の端子とを各コネクタを介して電気的に接続するために備えられる接続手段として、第２引用例に開示されたものを採用し、また、その際に、「コネクタ等の端末作業をする際に１番線が識別できる」ように「特定色の可撓性絶縁部材で被覆」した「１本のコード」と結合するコネクタの接続ピンを「特定」のものとして、相違点Ｂに係る本願補正発明のように構成することは、当業者が容易に想到できるものである。　
　
（４）本願補正発明の作用効果の検討　
　本願補正発明の作用効果は、引用発明及び第２引用例に記載の技術に基づいて当業者が容易に予測できるものである。　
　　
（５）むすび　
　よって、本件補正後の請求項１に記載された本願補正発明は、引用発明及び第２引用例に記載の技術に基づいて当業者が容易に発明をすることができたものであり、特許法第２９条第２項の規定に該当して、その特許出願の際に独立して特許を受けることができない。　
　
　
【３】補正の却下の決定のむすび
　以上のとおりであるから、本件補正は、平成１８年改正前特許法第１７条の２第４項及び第１７条の２第５項において準用する同法第１２６条第５項の規定に違反するので、特許法第１５９条第１項の規定において読み替えて準用する同法第５３条第１項の規定により却下すべきものである。　
　　　
　　
　
第３．本願発明について　　
【１】本願発明　
　本願の請求項１に係る発明は、平成１６年８月４日付の手続補正が上記のとおり却下されているので、平成１６年５月１８日付の手続補正により補正された明細書及び図面の記載からみて、その特許請求の範囲の請求項１に記載された事項により特定される以下のとおりのものである。　
　「【請求項１】　１つの基板に複数個のコネクタを載置した基板を複数個含んだ遊技機において、前記複数個の基板同士もしくは特定の基板と他の端子とを前記各コネクタを介して電気的に接続する複数個のコード束として、該コード束に含まれる１本のコードを特定色の可撓性絶縁部材で被覆すると共に、該コード束に含まれる他の複数本のコードの可撓性絶縁部材については全て前記特定色以外の色で統一したコード束を備え、前記特定色の可撓性絶縁部材で被覆したコードを、当該コード束用コネクタの特定接続ピンに結合し、かつ、前記複数個のコネクタのうち遊技球が入賞することに基づいて当該遊技機のゲーム内容が決定される始動入賞口スイッチと結線するためのコードを有するコネクタは、前記コード束の可撓性絶縁部材に使用されている色とは異なる蛍光色の可撓性絶縁部材で被覆したコードを用いたことを特徴とする遊技機。」 （以下、「本願発明」という。）
　
　
【２】特許法第２９条２項の適用
［１］第１引用例に記載の発明及び第２引用例に記載の技術　
　第１引用例に記載の発明及び第２引用例に記載の技術は、上記第２．【２】［１］に示したとおりである。　
　
［２］対比・判断　
　本願発明は、本願補正発明において、遊技機が備える複数個の基板同士もしくは特定の基板と他の端子とを電気的に接続するコード束が「複数個」あり、且つ、当該コード束が、１つの基板に設けられた複数個のコネクタの「各」コネクタを介して接続されたものであり、また、「複数のコード」を、「複数本のコード」と特定したそれぞれの限定を省き、本願補正発明の「被覆」を、「被服」とし（誤記に戻す）、さらに、遊技機が「（前記）複数個のコネクタのうち遊技球が入賞することに基づいて当該遊技機のゲーム内容が決定される始動入賞口スイッチと結線するためのコードを有するコネクタは、（前記）コード束の可撓性絶縁部材に使用されている色とは異なる蛍光色の可撓性絶縁部材で被覆したコードを用いた」ものであることを省いたものである。
　そうすると、本願発明の構成要素を全て含み、さらに、他の構成要件を付加したものに相当する本願補正発明が、上記第２．【２】［２］に説示したように、第１引用例に記載の発明（上記引用発明）及び第２引用例に記載の技術に基づいて、当業者が容易に発明をすることができたものであるから、本願発明は、同様の理由により、第１引用例に記載の発明（上記引用発明）及び第２引用例に記載の技術に基づいて、当業者が容易に発明をすることができたものである。　　
　
［３］むすび　
　以上のとおり、本願発明は、第１引用例に記載の発明及び第２引用例に記載の技術に基づいて、当業者が容易に発明をすることができたものであるから、特許法第２９条第２項の規定により特許を受けることができない。　
　したがって、他の請求項に係る発明について検討するまでもなく、本願は拒絶すべきものである。　
　
　よって、結論のとおり審決する。